【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
第一の記憶媒体に記録された第一の画像データを画像表示手段に表示する画像処理装置であって、
前記第一の画像データが前記画像表示手段に表示される場合に、前記第一の画像データと同じ画像データである第二の画像データが第二の記憶媒体に存在するときは、前記第一の画像データを前記画像表示手段に表示すると共に、前記第二の画像データが前記第二の記憶媒体に存在することを前記画像表示手段に表示するための表示制御手段を有することを特徴とする画像処理装置。
【請求項２】
前記表示制御手段は、前記第一の画像データを前記画像表示手段に表示すると共に、前記第二の画像データが前記第二の記憶媒体に存在することを示すアイコンを前記画像表示手段に表示するものであることを特徴とする請求項１に記載の画像処理装置。
【請求項３】
前記表示制御手段は、前記第一の画像データを前記画像表示手段に表示すると共に、前記第二の画像データのサムネイル画像を前記画像表示手段に表示するものであることを特徴とする請求項１に記載の画像処理装置。
【請求項４】
前記第一の記憶媒体と前記第二の記憶媒体に主従関係を設定する主従関係設定手段を有し、
前記表示制御手段は、前記第一の画像データと前記第二の画像データとの主従関係を前記画像表示手段に表示するものであることを特徴とする請求項１又は２に記載の画像処理装置。
【請求項５】
前記第一の画像データに関する第一の画像情報、及び前記第二の画像データに関する第二の画像情報が、前記第一の記憶媒体及び前記第二の記憶媒体に同じ画像データが存在することを示す情報を有する場合であり、かつ、前記第一の画像データのファイル名と前記第二の画像データのファイル名が同じである場合、
前記表示制御手段は、前記第二の画像データが前記第二の記憶媒体に存在すると判定することを特徴とする請求項１〜４のいずれか１項に記載の画像処理装置。
【請求項６】
第一の記憶媒体に記録された第一の画像データを画像表示手段に表示する画像処理方法であって、
前記第一の画像データが前記画像表示手段に表示される場合に、前記第一の画像データと同じ画像データである第二の画像データが第二の記憶媒体に存在するときは、前記第一の画像データを前記画像表示手段に表示すると共に、前記第二の画像データが前記第二の記憶媒体に存在することを前記画像表示手段に表示するための制御を行うことを特徴とする画像処理方法。
【請求項７】
第一の記憶媒体に記録された第一の画像データを画像表示手段に表示させる処理と、
前記第一の画像データが前記画像表示手段に表示される場合に、前記第一の画像データと同じ画像データである第二の画像データが第二の記憶媒体に存在するときは、前記第一の画像データを前記画像表示手段に表示すると共に、前記第二の画像データが前記第二の記憶媒体に存在することを前記画像表示手段に表示させる処理とをコンピュータに実行させることを特徴とするコンピュータプログラム。
【請求項８】
請求項７に記載のコンピュータプログラムを有することを特徴とする、コンピュータにより読み取り可能な記録媒体。
【手続補正２】
【補正対象書類名】明細書
【補正対象項目名】発明の名称
【補正方法】変更
【補正の内容】
【発明の名称】画像処理装置、画像処理方法、コンピュータプログラム、及び記録媒体
【手続補正３】
【補正対象書類名】明細書
【補正対象項目名】０００１
【補正方法】変更
【補正の内容】
【０００１】
本発明は、静止画像や動画像の画像データを記録及び再生する画像処理装置、画像処理方法、コンピュータプログラム、及びコンピュータにより読み取り可能な記録媒体に関する。
【手続補正４】
【補正対象書類名】明細書
【補正対象項目名】０００３
【補正方法】変更
【補正の内容】
【０００３】
この種の画像処理装置には複数の記憶媒体を備えたものもあり、より多くの画像データを記録することが可能である。また、複数の記憶媒体には、記憶媒体の破損等により画像データが消滅するのを防止するために、同じショットで撮影した画像データを記録することも可能である。
【特許文献１】特開平１−２５８５６９号公報
【手続補正５】
【補正対象書類名】明細書
【補正対象項目名】０００６
【補正方法】変更
【補正の内容】
【０００６】
本発明に係る画像処理装置は、
第一の記憶媒体に記録された第一の画像データを画像表示手段に表示する画像処理装置であって、
前記第一の画像データが前記画像表示手段に表示される場合に、前記第一の画像データと同じ画像データである第二の画像データが第二の記憶媒体に存在するときは、前記第一の画像データを前記画像表示手段に表示すると共に、前記第二の画像データが前記第二の記憶媒体に存在することを前記画像表示手段に表示するための表示制御手段を有することを特徴とする。
また、本発明に係る画像処理方法は、
第一の記憶媒体に記録された第一の画像データを画像表示手段に表示する画像処理方法であって、
前記第一の画像データが前記画像表示手段に表示される場合に、前記第一の画像データと同じ画像データである第二の画像データが第二の記憶媒体に存在するときは、前記第一の画像データを前記画像表示手段に表示すると共に、前記第二の画像データが前記第二の記憶媒体に存在することを前記画像表示手段に表示するための制御を行うことを特徴とする。
また、本発明に係るコンピュータプログラムは、
第一の記憶媒体に記録された第一の画像データを画像表示手段に表示させる処理と、
前記第一の画像データが前記画像表示手段に表示される場合に、前記第一の画像データと同じ画像データである第二の画像データが第二の記憶媒体に存在するときは、前記第一の画像データを前記画像表示手段に表示すると共に、前記第二の画像データが前記第二の記憶媒体に存在することを前記画像表示手段に表示させる処理とをコンピュータに実行させることを特徴とする。
【手続補正６】
【補正対象書類名】明細書
【補正対象項目名】００１０
【補正方法】変更
【補正の内容】
【００１０】
２０は画像処理回路であり、Ａ／Ｄ変換器１６からのデータ或いはメモリ制御回路２２からのデータに対して所定の画素補間処理や色変換処理を行う。また、画像処理回路２０においては、必要に応じて、撮像した画像データを用いて所定の演算処理を行い、得られた演算結果に基づいてシステム制御回路５０がシャッター制御手段４０、及び測距制御手段４２に対して制御を行う。この制御としては、ＴＴＬ（スルー・ザ・レンズ）方式のＡＦ（オートフォーカス）処理、ＡＥ（自動露出）処理、及びＥＦ（フラッシュ調光）処理がある。さらに、画像処理回路２０においては、撮像した画像データを用いて所定の演算処理を行い、得られた演算結果に基づいてＴＴＬ方式のＡＷＢ（オートホワイトバランス）処理も行っている。
【手続補正７】
【補正対象書類名】明細書
【補正対象項目名】００６１
【補正方法】変更
【補正の内容】
【００６１】
なお、記憶媒体２００及び２１０は、ＰＣＭＣＩＡカードやコンパクトフラッシュ（Ｒ）等のメモリカード、ハードディスク等だけでなく、マイクロＤＡＴ、光磁気ディスク、ＣＤ−ＲやＣＤ−ＲＷ等の光ディスク、ＤＶＤ等の相変化型光ディスク等で構成されていてもよい。また、記憶媒体２００及び２１０は、メモリカードとハードディスク等が一体となった複合媒体であってもよい。さらに、その複合媒体から一部が着脱可能な構成としてもよい。
【手続補正８】
【補正対象書類名】明細書
【補正対象項目名】００７５
【補正方法】変更
【補正の内容】
【００７５】
以上述べたようにして、１回の撮影内容を複数の記憶媒体に記録するような撮影を行う場合に、撮影者が、記憶媒体の画像データの再生を行い、撮影画像の確認を行う時に、画像の表示だけでなく、他の記憶媒体にも同じ画像が存在することをサムネイル画像を表示することで、画像消去等の画像整理を行う時に、間違えることなく画像内容を認識することができ、より利便性を向上させることができる。